(57)【特許請求の範囲】
【請求項１】
コード化された広告情報が印刷された広告掲載紙面を保持する保持手段と、
前記広告掲載紙面が前記保持手段に保持された場合に、前記広告掲載紙面から前記コード化された広告情報を読み込んで復号するロード手段と、
外部の携帯通信装置からのアクセス信号を受信するアクセス受信手段と、
前記アクセス受信手段にて前記アクセス信号を受信した場合に、前記ロード手段で読み込んで復号された広告情報を前記外部の携帯通信装置に近距離無線にて送信する広告送信手段と、
を備える広告固定装置。
【請求項２】
前記ロード手段で読み取って復号した前記広告情報を記憶する記憶手段を備え、
前記広告送信手段は、前記アクセス受信手段にて前記アクセス信号を受信した場合に、前記記憶手段に記憶した復号した前記広告情報を前記外部の携帯通信装置に近距離無線にて送信する
請求項１に記載の広告固定装置。
【請求項３】
前記広告送信手段は、前記読み取られた広告情報内の所定の情報を音声信号にして前記携帯通信装置に近距離無線にて送信する
請求項１又は請求項２に記載の広告固定装置。
【請求項４】
前記コード化された広告情報は、バーコードとしてコード化された
請求項１乃至請求項３のいずれか１項に記載の広告固定装置。
【請求項５】
前記コード化された広告情報は、多次元コードとしてコード化された
請求項１乃至請求項３のいずれか１項に記載の広告固定装置。
【発明の詳細な説明】
【０００１】
【発明の属する技術分野】
本発明は、従来の紙面広告に対して、インターネットにアクセスできる携帯電話で広告の画像・文字・インターネットを介して得られる情報（以下、Ｗｅｂ情報ともいう）を取得するという新しいサービスを付加する広告固定装置に関する。
【０００２】
【従来の技術】
従来の鉄道車両内のつり広告や街頭の紙面広告は、宣伝効果を上げるため、不特定多数の人の目に触れやすい所に設置されている。さらに、人目を引くデザインを用いるなどの工夫がされおり、一目で認識できる広告が多く存在する。
【０００３】
一方、近年、インターネット上の広告産業は大きく注目されている。インターネット上における広告の利点には、以下にあげる３点の利点が考えられる。
１）クリック一つで自社サイトに顧客を誘導できること。
２）広告を顧客に記録してもらえる可能性が高いこと。
３）広告設置料金が安価であること。
【０００４】
【発明が解決しようとする課題】
しかしながら、従来の鉄道車両内のつり広告や街頭の紙面広告では、人に見てもらうことができたとしても一時的なものであり、なかなか記憶されにくく、広告を見た人が、その広告に興味を持った場合においても広告に記載されている地図や詳細な情報まで記憶することは困難であるという問題があった。
【０００５】
また、近年、広告にインターネット（以下、Ｗｅｂともいう）のホームアドレス（以下、ＵＲＬ（Ｕｎｉｆｏｒｍ  Ｒｅｓｏｕｒｃｅ  Ｌｏｃａｔｏｒ）という）を記載しているものも多く存在するが、同様にＵＲＬを記憶することは、上記の場合と同様に困難であり、広告効果を持ちにくいという問題があった。
【０００６】
また、インターネット上の広告は、インターネットにアクセスしている状態でしか見てもらえないという問題があった。
また、紙面広告でＣＤなどの音楽の広告を行う場合、紙面広告では音楽を流すことがでないという問題があった。
【０００７】
本発明はこのような問題を解決するためになされたもので、従来の鉄道車両内のつり広告や街頭の紙面広告に対しても、インターネット上の広告同様の利点を付加することが可能であり、提示された広告情報等の取得を可能とする広告固定装置を提供するものである。
【０００８】
【課題を解決するための手段】
本発明の広告固定装置は、コード化された広告情報が印刷された広告掲載紙面を保持する保持手段と、前記広告掲載紙面が前記保持手段に保持された場合に、前記広告掲載紙面から前記コード化された広告情報を読み込んで復号するロード手段と、外部の携帯通信装置からのアクセス信号を受信するアクセス受信手段と、前記アクセス受信手段にて前記アクセス信号を受信した場合に、前記ロード手段で読み込んで復号された広告情報を前記外部の携帯通信装置に近距離無線にて送信する広告送信手段と、を備える。
【００１４】
【発明の実施の形態】
以下、本発明の実施の形態について、図面を用いて説明する。
図１に示すように、本発明の第１の実施の形態の街頭広告配信システム１００は、広告情報１１を配信する広告固定装置１、広告情報１１を受信する携帯電話７、および広告に関連する情報を保持するＷｅｂ店舗１０を基本構成とするシステムである。まず、街頭広告配信システムの広告情報１１の構成について説明する。
【００１５】
図２に示すように、広告情報１１は、鉄道車両内のつり広告や街頭広告などの紙面広告を情報化したもので、画像情報１２、文字情報１３、本広告に関連したインターネットのサイト等のＷｅｂ情報１４、および個々の広告を識別するための一意的な広告識別情報１５で構成される。
【００１６】
次に、街頭広告配信システムにおける広告固定装置１の構成について説明する。図３に示すように、広告固定装置１は、広告情報１１を読み込んで復号して広告送信手段３に出力するロード手段５、携帯電話７からの要求をＢｌｕｅｔｏｏｔｈなどの近距離無線で受信するアクセス受信手段２、その要求に応じて広告情報１１を携帯電話７に近距離無線で配信する広告送信手段３、および紙面広告６を保持する不図示の保持手段とによって構成される。なお、ここで、ロード手段５によって取得したデータを保持しておくための記憶手段をさらに有するものであっても良い。
【００１７】
また、本システムに用いる近距離無線の届く空間内の任意の位置からアクセスしても重複が生じないように、広告固定装置１の各広告には識別子４（以下、ＩＤという）を割り当て、各ＩＤ４を、ある程度の距離からでも肉眼で識別できるような大きさで広告固定装置１に表示する。
【００１８】
次に、広告固定装置１のロード手段５について説明する。本発明の街頭広告配信システム１００で用いる広告紙面の縁には、紙面広告６の内容を表わす広告情報１１が暗号化して印刷されている。この暗号化された広告情報は、バーコードや多次元コードに変換して表されたものでも良い。ロード手段５は、広告固定装置１に紙面広告６を装着したときに、多次元コードを読み込んで復号して広告送信手段３に出力する手段である。なお、ロード手段５では、取得した内容を記憶する上記の広告固定装置１の記憶手段に記憶するのでも良い。
【００１９】
次に、街頭広告配信システムの携帯電話７の構成について説明する。  図４に示すように、本システムに用いる携帯電話７は、広告固定装置１に要求を送信する無線送信手段９、その要求に応じて広告固定装置１から配信される広告情報１１を受信する無線受信手段８、受信した広告情報１１を携帯電話７のディスプレイに表示する不図示の表示手段、広告情報１１に含まれているＷｅｂ情報１４を用いてインターネット上のＷｅｂ店舗１０のサイトに接続するiモードなどの接続手段、および不図示の記憶手段で構成される。
【００２０】
以上のような構成の街頭広告配信システムについて、図５を用いて、以下にその動作を説明する。
本発明の街頭広告配信システムでは、鉄道車両内や街頭に設置された本システムの広告固定装置１で保持されている紙面広告６を見たとき、本システムに適合する携帯電話７の使用者が、興味を持った紙面広告６が固定されている広告固定装置１のＩＤ４を携帯電話７で指定する。
【００２１】
指定後、携帯電話７の無線送信手段９から広告固定装置１のアクセス受信手段２に対してＩＤ４が近距離無線で送信され、要求されたＩＤ４が割り当てられている広告固定装置１は、広告固定装置１の広告送信手段３から携帯電話７の無線受信手段８に広告情報１１を送信する。その際、広告固定装置１の記憶手段に保持された内容を送信するのでも良い。携帯電話７は、広告送信手段３から送信された広告情報１１を無線受信手段８で受信する。その際、無線受信手段８で受信した内容の一部または全部を上記携帯電話７の記憶手段に保持することができる。携帯電話７で受信したＷｅｂ情報を用いて、利用者は、広告に関連する情報を保持するＷｅｂ店舗１０にアクセスし、インターネット広告同様の情報の提示を受けることができる。
【００２２】
次に、本発明の第１の実施の形態の、街頭広告配信システムの課金構造について説明する。
本システムを利用する広告主は、携帯電話７に近距離無線で送信されることを期待する紙面広告６の内容である画像情報１２、文字情報１３、およびこれに関連したＷｅｂ情報１４と代金とを、本広告の配信サービスを行う事業者に受け渡す。
【００２３】
事業者は、この受け取った情報に広告識別情報１５を付加した広告情報１１を暗号化し、多次元コード化したうえで広告主に返却し、広告主と広告識別情報１５との関係を表わすデータベースを作成する。なお、広告情報１１に、紙面広告では伝えることのできない短い音楽情報など情報を付加することもできる。
【００２４】
広告主は、暗号化された多次元コードの広告情報１１を紙面広告６の縁に印刷し、その紙面広告６を広告固定装置１に装着することで、ロード手段５によって広告情報１１を広告固定装置1にロードさせることができる。
また、紙面に印刷され、暗号化された多次元コードを用いることで、広告主が行う広告制作過程を従来の紙面広告と同等にでき、鉄道車両内のつり広告のように広告が頻繁に交換される場合に適する。
【００２５】
本システムに適合する携帯電話７の使用者は、関心のある紙面広告６が装着されている広告固定装置１のＩＤ４を携帯電話７で指定することで、容易に近距離無線で広告情報１１を取得でき、いつでもどこでもその広告の参照ができる。
また、広告情報１１が送信された回数に応じて、事業者はデータベースを参照し広告主に対して課金することができる。
【００２６】
さらに、広告情報１１を取得した携帯電話の使用者は、その広告情報１１に記載されているＷｅｂ情報１４で、インターネット上のＷｅｂ店舗１０のサイトにいつでもどこでもアクセスすることができる。
【００２７】
また、広告情報１１のＷｅｂ情報１４でインターネット上のＷｅｂ店舗１０のサイトにアクセスされた回数に応じて、事業者はデータベースを参照し広告主に対して課金することができる。
また、広告情報１１に短い音楽情報を付加した場合、音楽配信や音楽ＣＤの曲の一部をサンプルとして携帯電話７に配信することができる。
【００２８】
【発明の効果】
以上説明したように、本発明は、鉄道車両内のつり広告や街頭の紙面広告をコード化して紙面に印刷し、それを読み取って配信できるため、携帯電話等を用いて広告内容を忘れることなく保持でき、インターネット上の広告同様の利点を付加できる広告固定装置を実現することができる。
【図面の簡単な説明】
【図１】本発明の街頭広告配信システムの概略的な全体構成の一例を示す図
【図２】本発明の街頭広告配信システムで使用される広告情報の構成を示す図
【図３】本発明の街頭広告配信システムにおける広告固定装置の構成の一例を示す図
【図４】本発明の街頭広告配信システムにおける携帯通信装置の構成の一例を示す図
【図５】本発明の街頭広告配信システムの詳細化した全体構成の一例を示す図
【符号の説明】
１  広告固定装置
２  アクセス受信手段
３  広告送信手段
４  ＩＤ
５  ロード手段
６  紙面広告
７  携帯電話
８  無線受信手段
９  無線送信手段
１０  Ｗｅｂ店舗
１１  広告情報
１２  画像情報
１３  文字情報
１４  Ｗｅｂ情報
１５  広告識別情報
１００  街頭広告配信システム
【図１】
0004707264.tif 000002
【図２】
0004707264.tif 000003
【図３】
0004707264.tif 000004
【図４】
0004707264.tif 000005
【図５】
0004707264.tif 000006